(57)【要約】【課題】プライベート動画を格納するディスクのレーベルに最適な静止画を抽出する。【解決手段】ＤＶＤレコーダ１００は、運動会などのプライベートコンテンツを記録したＤＶＤなどのディスクのレーベルデータを作成する際、動画蓄積部１０１に蓄積した運動会を撮影した複数のファイルに関して、動画撮影時刻処理部１０２で管理されたファイル間の撮影間隔が一定時間未満のものをグループ化部１０３で自動的に連結して一つのグループを作成し、動画静止画関連付け部１０６で該グループの撮影時刻内に撮影された静止画を自動的に抽出することで、最適なレーベル用静止画を提供することが可能になる。【選択図】図１
2009296299.tif 000002
【特許請求の範囲】
【請求項１】
撮影された動画と撮影された静止画とを関連付ける画像記録装置であって、前記動画と前記静止画とを蓄積する蓄積部と、前記動画を撮影した撮影時刻である動画撮影時刻と、前記静止画を撮影した静止画撮影時刻とをそれぞれ管理する撮影時刻処理部と、撮影時刻の間隔を表す所定の撮影間隔をもとに、前記動画または前記静止画を一つ以上集めたものをグループとして管理するグループ化部と、前記グループに含まれた動画および静止画の撮影時間をもとに、前記グループには含まれない動画または静止画と、前記グループとの関連付けを行う動画静止画関連付け部とを備えることを特徴とする画像記録装置。
【請求項２】
撮影された動画と撮影された静止画とを関連付ける画像記録装置であって、動画を記憶する動画蓄積部と、前記動画を撮影した撮影時刻を管理する動画撮影時刻処理部と、静止画を記憶する静止画蓄積部と、前記静止画の撮影時刻である静止画撮影時刻を管理する静止画撮影時刻処理部と、動画撮影時刻の間隔を表す所定の撮影間隔をもとに、前記動画蓄積部に記憶された動画を一つ以上集めたものを動画グループとして管理するグループ化部と、前記静止画撮影時刻と前記動画グループに含まれた動画の撮影時間とをもとに、前記動画グループと、前記静止画との関連付けを行う動画静止画関連付け部とを備えることを特徴とする画像記録装置。
【請求項３】
さらに、前記動画静止画関連付け部で前記動画グループに関連付けられた静止画の中から一つ以上を印刷用データとして選択する選択部を備えることを特徴とする請求項２記載の画像記録装置。
【請求項４】
さらに、前記撮影間隔または前記静止画撮影間隔を入力するグループ化条件設定部を備えることを特徴とする請求項２から請求項３記載の画像記録装置。
【請求項５】
さらに、前記動画静止画関連付け部は、前記静止画と前記動画グループとの関連付けを行う際に、前記動画グループに含まれる動画像の撮影時間に所定の幅を持たせた撮影時間と、前記静止画撮影時刻とをもとに、関連付けを行うことを特徴とする請求項２記載の画像記録装置。
【請求項６】
撮影された動画と撮影された静止画とを関連付ける画像記録方法であって、動画を記憶する動画蓄積手段と、前記動画を撮影した撮影時刻を管理する動画撮影時刻処理手段と、静止画を記憶する静止画蓄積手段と、前記静止画の撮影時刻である静止画撮影時刻を管理する静止画撮影時刻処理手段と、動画撮影時刻の間隔を表す所定の撮影間隔をもとに、前記動画蓄積部に記憶された動画を一つ以上集めたものを動画グループとして管理するグループ化手段と、前記静止画撮影時刻と前記動画グループに含まれた動画の撮影時間とをもとに、前記動画グループと前記静止画静止画との関連付けを行う動画静止画関連付け手段とからなることを特徴とする画像記録方法。
【請求項７】
撮影された動画と撮影された静止画とを関連付ける画像記録プログラムであって、動画を記憶する動画蓄積手段と、前記動画を撮影した撮影時刻を管理する動画撮影時刻処理手段と、静止画を記憶する静止画蓄積手段と、前記静止画の撮影時刻である静止画撮影時刻を管理する静止画撮影時刻処理手段と、動画撮影時刻の間隔を表す所定の撮影間隔をもとに、前記動画蓄積部に記憶された動画を一つ以上集めたものを動画グループとして管理するグループ化手段と、前記静止画撮影時刻と前記動画グループに含まれた動画の撮影時間とをもとに、前記動画グループと前記静止画静止画との関連付けを行う動画静止画関連付け手段とからなることを特徴とする画像記録プログラム。
【請求項８】
請求項７記載の画像記録プログラムを記録した記録媒体。
【請求項９】
撮影された動画と撮影された静止画とを関連付ける画像記録装置であって、動画を記憶する動画蓄積部と、前記動画を撮影した撮影時刻を管理する動画撮影時刻処理部と、静止画を記憶する静止画蓄積部と、前記静止画の撮影時刻である静止画撮影時刻を管理する静止画撮影時刻処理部と、前記静止画撮影時刻の間隔を表す所定の静止画撮影間隔をもとに、前記静止画蓄積部に含まれた静止画を一つ以上集めたものを静止画グループとして管理する静止画グループ化部と、前記動画の撮影時刻と前記静止画グループの撮影時間とをもとに、前記静止画グループと、前記動画との関連付けを行う動画静止画関連付け部とを備えることを特徴とする画像記録装置。
【発明の詳細な説明】
【技術分野】
【０００１】
本発明は、動画と静止画を処理する装置における関連画像抽出に関するものである。
【背景技術】
【０００２】
運動会などのイベント撮影用として動画を撮影するデジタルビデオレコーダ（以下ムービーと称す）や静止画を撮影するデジタルスチルカメラ（以下ＤＳＣと称す）がある。最近のムービーには静止画撮影機能が搭載されたものが開発されている一方、ＤＳＣでも動画撮影機能が搭載されたものが開発されている。
【０００３】
撮影された動画や静止画はＤＶＤレコーダやパソコンなどで編集され、動画をＤＶＤなどのリムーバブルメディアに保存する場合、独自のレーベルを作成することが多い。レーベル用の素材としては同じイベントで撮影された静止画が好適である。このような場合にレーベル画像を作成する方法としてはＰＣなどを用いて、ＤＳＣで撮影した写真の中から所望の画像を選択して加工する方法が一般的に知られている。ＤＳＣには通常今までとりためた画像が記憶されており、その中から同じイベントの静止画を選択する必要がある。特定の日時の画像を選択して加工する方法としては作成したスケジュールに合わせて画像を自動抽出する方法がある。
【０００４】
以下、（特許文献１）に記載された従来の同一日付静止画の抽出加工方法について説明する。図７は、従来の同一日付静止画の抽出加工方法を表す図である。
【０００５】
パソコン７０１に表示された画像７０２をデジタルカメラ７０３に転送する際、カレンダ表示する日付等のスケジュールを入力し画像７０２と共に送信するとデジタルカメラ７０３は受信した画像７０２を図示しないメモリに取り込み、画像７０２を縮小してデジタルカメラ７０３の表示部７０４に表示されているカレンダの日付欄のうち受信した指定日時に対応する日付欄に表示する。また、確認操作があると画像７０５を図示しないメモリカードに保存記録すると共に表示用テーブルに指定日付等の各テーブルデータを記憶する。
【特許文献１】特開２００６−５０１７６号公報
【発明の開示】
【発明が解決しようとする課題】
【０００６】
このように、従来の同一日付静止画の抽出加工方法では、指定した日付のみの関連付けであり、たとえば春秋の休日には運動会と結婚式など同じ日に複数のイベントが発生することがあり、この場合はイベント毎の区別ができない課題があった。
【０００７】
本発明は、このような課題を解決するもので、一定の撮影間隔の動画ファイルを自動的にグループ化し、該グループの撮影時間内に撮影された静止画をレーベル用データ候補として抽出する。
【０００８】
この結果、ユーザは同じ日に複数のイベントがあっても各イベントに応じたレーベル用静止画を抽出することが可能になり、プライベートコンテンツが格納されたメディアのレーベル印刷が簡単に行うことが可能な画像処理装置を提供することを目的とする。
【課題を解決するための手段】
【０００９】
上記目的を達成するために、本発明は、撮影された動画と撮影された静止画とを関連付ける画像記録装置であって、前記動画と前記静止画とを蓄積する蓄積部と、前記動画を撮影した撮影時刻である動画撮影時刻と、前記静止画を撮影した静止画撮影時刻とをそれぞれ管理する撮影時刻処理部と、撮影時刻の間隔を表す所定の撮影間隔をもとに、前記動画または前記静止画を一つ以上集めたものをグループとして管理するグループ化部と、前記グループに含まれた動画および静止画の撮影時間をもとに、前記グループには含まれない動画または静止画と、前記グループとの関連付けを行う動画静止画関連付け部とを備えるように構成した。
【００１０】
また、本発明は、撮影された動画と撮影された静止画とを関連付ける画像記録装置であって、動画を記憶する動画蓄積部と、前記動画を撮影した撮影時刻を管理する動画撮影時刻処理部と、静止画を記憶する静止画蓄積部と、前記静止画の撮影時刻である静止画撮影時刻を管理する静止画撮影時刻処理部と、動画撮影時刻の間隔を表す所定の撮影間隔をもとに、前記動画蓄積部に記憶された動画を一つ以上集めたものを動画グループとして管理するグループ化部と、前記静止画撮影時刻と前記動画グループに含まれた動画の撮影時間とをもとに、前記動画グループと、前記静止画との関連付けを行う動画静止画関連付け部とを備えるように構成しても構わない。
【発明の効果】
【００１１】
本発明によれば、撮影された動画と撮影された静止画とを関連付ける画像記録装置であって、前記動画と前記静止画とを蓄積する蓄積部と、前記動画を撮影した撮影時刻である動画撮影時刻と、前記静止画を撮影した静止画撮影時刻とをそれぞれ管理する撮影時刻処理部と、撮影時刻の間隔を表す所定の撮影間隔をもとに、前記動画または前記静止画を一つ以上集めたものをグループとして管理するグループ化部と、前記グループに含まれた動画および静止画の撮影時間をもとに、前記グループには含まれない動画または静止画と、前記グループとの関連付けを行う動画静止画関連付け部とを備えることを特徴とするように構成した。
【００１２】
この構成により、撮影された動画と静止画とが、所定の撮影間隔をもとにグループ化され、当該グループと、当該グループには含まれない動画または静止画とが関連付けられるので、ムービーや写真などを用いて撮影したプライベートコンテンツについて、同日に撮影なされてしまった別のイベントについても区別して管理することができるようになる。
【００１３】
また、本発明の画像処理装置は、撮影された動画と撮影された静止画とを関連付ける画像記録装置であって、動画を記憶する動画蓄積部と、前記動画を撮影した撮影時刻を管理する動画撮影時刻処理部と、静止画を記憶する静止画蓄積部と、前記静止画の撮影時刻である静止画撮影時刻を管理する静止画撮影時刻処理部と、動画撮影時刻の間隔を表す所定の撮影間隔をもとに、前記動画蓄積部に記憶された動画を一つ以上集めたものを動画グループとして管理するグループ化部と、前記静止画撮影時刻と前記動画グループに含まれた動画の撮影時間とをもとに、前記動画グループと、前記静止画との関連付けを行う動画静止画関連付け部とを備えることを特徴とするように構成しても構わない。
【００１４】
この構成により、撮影された動画が、所定の撮影間隔をもとにグループ化され、当該グループと、静止画とが関連付けられるので、ムービーや写真などを用いて撮影したプライベートコンテンツについて、同日に撮影なされてしまった別のイベントについても区別して管理することができ、またムービーに対しても関連する写真として管理することができるようになる。
【発明を実施するための最良の形態】
【００１５】
以下、本発明の実施の形態について、図面を参照しながら説明する。
【００１６】
（実施の形態１）
以下に、本発明を実施するための最良の形態について、図面を参照しながら説明する。
【００１７】
図１は、本発明の実施の形態１における画像処理装置の構成を表す図である。
【００１８】
まず、動画ファイルのグループ化に関して画像処理装置としてＤＶＤレコーダを例に説明する。
【００１９】
本発明の実施の形態１におけるＤＶＤレコーダ１００は、図１に示すように、動画蓄積部１０１、動画撮影時刻処理部１０２、グループ化部１０３、静止画蓄積部１０４、静止画撮影時刻処理部１０５、動画静止画関連付け部１０６、静止画処理部１０７、動画処理部１０８とで構成されている。
【００２０】
図１において、画像処理装置であるＤＶＤレコーダ１００において、図示しない動画入力部、たとえばＳＤカードに記録された動画の取り込みや、映像ケーブルなどを通じて入力された動画は、動画蓄積部１０１に蓄積される。
【００２１】
静止画蓄積部１０４は、静止画像を蓄積する。この静止画像は、図示しない静止画入力部から取り込まれる。たとえば、動画と静止画が記録されたＳＤカードから、動画の取り込みと同時に、静止画を取り込むように構成しても構わない。
【００２２】
動画撮影時刻処理部１０２は、動画蓄積部１０１に蓄積された動画ファイルの撮影開始時刻と撮影終了時刻とを抽出し、管理テーブルを用いて管理する。図２には、動画撮影時刻処理部１０２で管理されている動画の撮影時刻とグループを管理するテーブルの一例を示す。図２において、７つの動画ファイル（ａ．ｍｐｇからｇ．ｍｐｇ）が撮影時刻管理テーブル２００で管理されており、これら７つの動画ファイルは、９月１２日に撮影され、それぞれの撮影開始時刻と撮影終了時刻とが、示されている。
【００２３】
グループ化部１０３は、動画撮影時刻処理部１０２に格納されている管理テーブルを元に、動画ファイルのグループ化を行う。図４は、グループ化部１０３における動画グループ化の処理の流れを示す図であり、以下この流れについて説明する。
【００２４】
ＤＶＤレコーダ１００に対して、リモコンやメニュー操作などによるユーザの明示的な指示に応じて、または、動画の取り込みがなされた後に自動的に動画グループ化処理が開始されるように構成する。また、他の処理に連動して開始するように構成しても構わない。
【００２５】
動画グループ化処理が開始されると（Ｓ４０１）、グループ化部１０３はあらかじめ設定されているグループ化処理条件である、設定撮影間隔（Ｔｉ）を読み出す（Ｓ４０２）。ここでは撮影間隔（Ｔｉ）は１時間と仮定して説明する。
【００２６】
設定撮影間隔（Ｔｉ）が読み出されたら、グループ化部１０３は動画撮影時刻処理部１０２から撮影時刻管理テーブル２００を読み出し、最初の動画ファイル（ここではｎとする）であるａ．ｍｐｇの撮影終了時刻（Ｔｅ）を示す「１０：１０」（この場合、時刻は１０時１０分であることを示す）を読み出す（Ｓ４０３）。
【００２７】
続いて次の動画ファイル（ｎ＋１）であるｂ．ｍｐｇの撮影開始時刻（Ｔｓ）である「１０：３０」を読み出す（Ｓ４０４）。
【００２８】
そして、２つの動画ファイルの撮影間隔（Ｔｓ−Ｔｅ）を算出し、２つの動画ファイルの撮影間隔と設定撮影間隔とを比較する（Ｓ４０５）。
【００２９】
もし、２つの動画ファイルの撮影間隔（Ｔｓ−Ｔｅ）が設定撮影間隔（Ｔｉ）を下回っていれば、撮影間隔が短いので同一イベントと判断して、同一の動画グループと判断する。この場合は、Ｓ４０５のステップでＮＯに進む。
【００３０】
今、設定撮影間隔（Ｔｉ）は１時間＝６０分であり、２つの動画ファイルｂ．ｍｐｇ、ａ．ｍｐｇの撮影間隔（Ｔｓ−Ｔｅ）は、１０：３０−１０：１０＝０：２０、つまり２０分である。２つの動画ファイルの撮影間隔（Ｔｓ−Ｔｅ）は、設定撮影間隔（Ｔｉ）である６０分を下回っているため、２つの動画ファイルａ．ｍｐｇとｂ．ｍｐｇとで、一つの動画グループ（Ａ）を生成する。
【００３１】
そして、次の２つの動画ファイルを選ぶ（Ｓ４０６）。つまり、２つの動画ファイルｂ．ｍｐｇとｃ．ｍｐｇの間で上記処理を繰り返す。
【００３２】
２つの動画ファイルｃ．ｍｐｇとｂ．ｍｐｇの撮影間隔（Ｔｓ−Ｔｅ）は、１１：３５−１０：４５＝０：５０、つまり５０分である。設定撮影間隔（Ｔｉ）の６０分を下回っているので（Ｓ４０３からＳ４０５）、グループ（Ａ）にｃ．ｍｐｇを追加し、ａ．ｍｐｇからｃ．ｍｐｇまでを同一の動画グループ（Ａ）とする。
【００３３】
続いて次の２つの動画ファイルｄ．ｍｐｇとｃ．ｍｐｇとの撮影間隔（Ｔｓ−Ｔｅ）は、１２：００―１１：５９＝０：０１、つまり１分である。設定撮影間隔（Ｔｉ）の６０分を下回っているので（Ｓ４０３からＳ４０５）、グループ（Ａ）にｄ．ｍｐｇを追加し、ａ．ｍｐｇからｄ．ｍｐｇまでを同一の動画グループ（Ａ）とする。
【００３４】
続く２つの動画ファイルｅ．ｍｐｇとｄ．ｍｐｇの撮影間隔（Ｔｓ−Ｔｅ）は、１７：００−１３：００＝４：００、つまり２４０分である（Ｓ４０３からＳ４０５）。この場合、設定撮影間隔（Ｔｉ）の６０分を上回っているので、グループ化を一旦終了する（Ｓ４０７）。
【００３５】
以上の手順により、動画グループ（Ａ）にはａ．ｍｐｇからｄ．ｍｐｇが含まれることとなる。
【００３６】
続いて全動画ファイルの読み出しが完了しているかを確認し（Ｓ４０８）、終わっていなければグループ化の作業を進める。この場合は、Ｓ４０８でＮＯに進む。
【００３７】
続く２つの動画ファイルｅ．ｍｐｇとｆ．ｍｐｇの撮影間隔（Ｔｓ−Ｔｅ）は、１０分である。設定撮影間隔（Ｔｉ）の６０分を下回っているので（Ｓ４０３からＳ４０５）、ｅ．ｍｐｇとｆ．ｍｐｇとを同一の動画グループ（Ｂ）とする。
【００３８】
続く２つの動画ファイルｇ．ｍｐｇとｆ．ｍｐｇの撮影間隔（Ｔｓ−Ｔｅ）は、２９分である。設定撮影間隔（Ｔｉ）の６０分を下回っているので（Ｓ４０３からＳ４０５）、ｇ．ｍｐｇを同一の動画グループ（Ｂ）に追加する。
【００３９】
２つの動画ファイルｆ．ｍｐｇとｇ．ｍｐｇとで全動画ファイルの読み出しが完了しているので（Ｓ４０８でＹＥＳに進む）、動画グループ化処理を完了させる（Ｓ４０９）。
【００４０】
これらの処理により、グループ化部１０３では、図２に示すように、撮影時刻管理テーブル２００はグループ化が完了した動画の管理テーブル２０１として更新される。そして、図３に示すようなグループ化テーブル３００が完成する。グループ化テーブル３００には、動画グループの、グループ名と、グループの先頭ファイルの撮影開始時刻から最終ファイルの撮影終了時刻である撮影時間（Ｔｇ）が管理されている。動画グループ（Ａ）の場合には、ａ．ｍｐｇの撮影開始時刻である「１０：００」からｄ．ｍｐｇの撮影終了時刻である「１３：００」が記録され、動画グループ（Ｂ）の場合には、ｅ．ｍｐｇの撮影開始時刻である「１７：００」からｇ．ｍｐｇの撮影終了時刻である「２０：００」が管理されている。もちろん、グループ化テーブル３００には含まれる動画ファイル名など他の情報が記載されていてもよい。撮影時刻は、撮影日を含めて記録するように構成しても構わない。
【００４１】
グループ化部１０３は、グループ化テーブル３００を保存する。
【００４２】
これにより、同じ日付に撮影した動画ファイルでも２つの動画グループ（Ａ）と、動画グループ（Ｂ）とに区別することが可能となる。本発明の実施の形態１の場合には、昼間に撮影した動画グループ（Ａ）と夕方以降に撮影した動画グループ（Ｂ）とに分けられる。
【００４３】
続いて、グループ化テーブル３００に示すようにグループ分けされた動画ファイルをメディアに記録する際のレーベル印刷に好適な、同じイベントで撮影された静止画を抽出する場合の処理について説明する。
【００４４】
図５は、ＤＶＤレコーダ１００における動画グループと関連する静止画を抽出する処理の流れを示す図である。
【００４５】
ユーザがＤＶＤレコーダ１００においてレーベル印刷用画像抽出処理を選択すると（Ｓ５０１）、動画静止画関連付け部１０６は、グループ化部１０３に保存されたグループ化テーブル３００を読み出し、該当する動画グループ（ｎ）の情報を読み出す（Ｓ５０２）。
【００４６】
ここでは動画グループ（Ａ）が選択された場合を例に説明をする。
【００４７】
動画グループ（Ａ）の撮影時間（Ｔｇ）は、「１０：００」から「１３：００」である。つまり、９月１２日の１０時００分から、９月１２日の１３時００分までに撮影されたことを表す。本発明の実施の形態１における例では、動画像の撮影日はすべて９月１２日であるため、以下の説明では日付の情報である９月１２日は省略する。
【００４８】
動画グループ（Ａ）の撮影時間（Ｔｇ）を読み出したら（Ｓ５０３）、次に静止画蓄積部１０４に蓄積された静止画像の撮影時刻を管理する静止画撮影時刻処理部１０５から静止画（ｍ）の撮影時刻（Ｔｊ）を順に読み出す（Ｓ５０４）。
【００４９】
もし、静止画（ｍ）の撮影時刻（Ｔｊ）が動画グループ（Ａ）の撮影時間（Ｔｇ）に含まれていれば（Ｓ５０５）、静止画（ｍ）をレーベル印刷候補画像として抽出する（Ｓ５０６）。
【００５０】
続いて、同様に、次の静止画像（ｍ＋１）を選択して（Ｓ５０７）、撮影時刻（Ｔｊ）が動画グループ（Ａ）の撮影時間（Ｔｇ）に含まれるか否かの判断を行い、含まれる場合には、レーベル印刷候補画像として抽出する処理（Ｓ５０４からＳ５０５）を行う。
【００５１】
図３に示した、静止画画像の撮影時刻を管理するテーブルである静止画撮影時刻管理テーブル３０１において、最初の静止画ファイルｖ．ｊｐｇの撮影時刻（Ｔｊ）は「１１：００」（１１時００分を表す）である（Ｓ５０４）。この撮影時刻は、グループ化テーブル３００に記載されている動画グループ（Ａ）の撮影時間（Ｔｇ）である「１０：００」から「１３：００」の間に含まれている（Ｓ５０５でＹＥＳに進む）ので、レーベル印刷候補画像として抽出する（Ｓ５０６）。
【００５２】
続いて、次の静止画であるｗ．ｊｐｇを選択する（Ｓ５０７）。
【００５３】
同様に静止画ファイルｗ．ｊｐｇの撮影時刻（Ｔｊ）は「１１：２０」であり、動画グループＡの撮影時間（Ｔｇ）に含まれているので、レーベル印刷候補画像として抽出される（Ｓ５０４〜Ｓ５０６）。
【００５４】
次の静止画ファイルｘ．ｊｐｇの撮影時刻（Ｔｊ）である「１５：００分」は、グループ化テーブル３００に記載されている動画グループ（Ａ）の撮影時間（Ｔｇ）には含まれない（Ｓ５０５でＮＯに進む）ので、動画グループ（Ａ）のレーベル印刷候補画像としては静止画ファイルｖ．ｊｐｇとｗ．ｊｐｇが抽出される。
【００５５】
これらの処理により動画グループ（Ａ）のレーベル印刷候補画像抽出処理が完了し（Ｓ５０９）、次の動画グループであるグループ（Ｂ）の読み出しの準備をする（Ｓ５１１）。
【００５６】
画像ｘ．ｊｐｇの撮影時刻（Ｔｊ）である「１５時００分」は、動画グループ（Ｂ）の撮影時間（Ｔｇ）である「１７時００分」から「２０時００分」にも含まれないので、動画グループ（Ｂ）のレーベル印刷候補画像として抽出されない。
【００５７】
次の画像ｙ．ｊｐｇの撮影時刻（Ｔｊ）である「１７：５５」とｚ．ｊｐｇの撮影時刻（Ｔｊ）である「１８：４０」とは動画グループ（Ｂ）の撮影時間（Ｔｇ）である「１７：００」から「２０：００」に含まれるので、動画グループ（Ｂ）でのレーベル印刷候補画像として抽出される。全静止画ファイルの抽出が完了したら（Ｓ５１０）、レーベル印刷用画像抽出処理が完了（Ｓ５１２）する。
【００５８】
仮に、ｘ．ｊｐｇとｙ．ｊｐｇの間に、動画グループ（Ｂ）の撮影時間より早い撮影時刻が１６時００分のｘ１．ｊｐｇが存在する場合は、静止画ファイル読み出し（Ｓ５０４）後に撮影時刻を判断し、撮影時刻が動画グループ（Ｂ）の撮影時間内ではなく（Ｓ５０５）、動画グループ（Ｂ）の撮影時間より早いため（Ｓ５０８）、ｍ＝ｍ＋１すなわちスキップして（Ｓ５０７）、次の静止画ファイルｙ．ｊｐｇを選択する。
【００５９】
これらの処理により、動画静止画関連付け部１０６では、図３に示すようなグループ化テーブル３００に記載されたグループに関連する静止画の抽出が完了し、それらを管理するグループ化テーブル３０２として更新される。グループ化テーブル３０２には、グループ名と、グループに含まれる先頭ファイルの撮影開始時刻から最終ファイルの撮影終了時刻を表す撮影時間と、グループに関連する静止画が管理されている。本発明の実施の形態１における例では、グループ化テーブル３０２において、動画グループ（Ａ）の場合には、ａ．ｍｐｇの撮影開始時刻である「１０：００」からｄ．ｍｐｇの撮影終了時刻である「１３：００」を表す撮影時間と、これらに関連する静止画ｖ．ｊｐｇとｗ．ｊｐｇとが記載され、動画グループ（Ｂ）の場合には、ｅ．ｍｐｇの撮影開始時刻である「１７：００」からｇ．ｍｐｇの撮影終了時刻である「２０：００」を表す撮影時間と、これらに関連する静止画ｙ．ｊｐｇとｚ．ｊｐｇとが管理されている。
【００６０】
これにより、同じイベントで撮影した動画ファイルと静止画ファイルとを抽出することができ、関連付けることが可能となる。
【００６１】
以上により、レーベル印刷候補として静止画ファイルが抽出されたら、動画処理部１０８はＤＶＤなどのリムーバブルメディア１１０に動画グループ（Ａ）に含まれる動画ファイルを記録し、静止画処理部１０７は抽出された静止画であるｖ．ｊｐｇとｗ．ｊｐｇのうち少なくとも一つを静止画蓄積部１０４から、読み出して宅内ネットワーク１２０を介してプリンタ１３０に送信する。
【００６２】
プリンタ１３０に、リムーバブルメディア１１０がセットされることで、記録された動画像に関連した静止画像がレーベルファイルとして印刷することができる。たとえば、運動会などのイベントの動画ファイルが記録されたメディアに、運動会で撮影された静止画ファイルをレーベルとして印刷することが可能となる。
【００６３】
本実施の形態１によれば、上記の構成により、動画を記憶する動画蓄積部と、前記動画を撮影した撮影時刻を管理する動画撮影時刻処理部と、静止画を記憶する静止画蓄積部と、前記静止画の撮影時刻である静止画撮影時刻を管理する静止画撮影時刻処理部と、動画撮影時刻の間隔を表す所定の撮影間隔をもとに、前記動画蓄積部に記憶された動画を一つ以上集めたものを動画グループとして管理するグループ化部と、前記静止画撮影時刻と前記動画グループに含まれた動画の撮影時間とをもとに、前記動画グループと、前記静止画との関連付けを行う動画静止画関連付け部とを備える。
【００６４】
この構成により、撮影された動画が、所定の撮影間隔をもとにグループ化され、当該グループと、静止画とが関連付けられるので、ムービーや写真などを用いて撮影したプライベートコンテンツについて、同日に撮影なされてしまった別のイベントについても区別して管理することができ、またムービーに対しても関連する写真として管理することができるようになる。たとえば、運動会などのプライベートコンテンツを記録したＤＶＤなどのディスクのレーベルデータを作成する際、運動会を撮影した複数のファイルに関して、ファイル間の撮影間隔が一定時間未満のものを自動的に連結して一つのグループを作成し、当該グループの最初の撮影時刻と最後の撮影終了時刻間に撮影された静止画を自動的に抽出することで、最適なレーベル用静止画を提供することが可能となり、簡便な操作のユーザのプライベートコンテンツ作成環境を提供することが可能となる。
【００６５】
なお、本発明の実施の形態１では、動画をグループ化する動画グループについて、説明したが、静止画をグループ化して静止画グループを設け、静止画グループに対して、動画を関連付ける構成としても構わない。この場合、静止画グループに含まれる静止画のうち、最も早い撮影時刻と、最も遅い撮影時刻との間が静止画グループの撮影時間であると定義することができる。そして、動画の撮影時間が静止画グループの撮影時間に含まれるものを、静止画グループに関連付ける動画とすることができる。静止画グループに関連付ける動画は、その撮影時間が含まれるばかりでなく、撮影時間の一部が含まれるものとしても、もちろん構わない。
【００６６】
このようにすることで、複数の静止画を関連するイベントにグループ化することができ、また、静止画と動画とを関連付けることができる。
【００６７】
（実施の形態２）
次に、設定撮影間隔（Ｔｉ）を外部から設定する場合の動作について図６を用いて説明する。
【００６８】
図６は、本発明の実施の形態２における画像処理装置の構成を表す図である。
【００６９】
図６は、図１に設定撮影間隔（Ｔｉ）を設定するグループ化条件設定部１０９が実装された以外は、本発明の実施の形態１で説明したＤＶＤレコーダ１００と同じであるので、説明は省略する。
【００７０】
グループ化条件設定部１０９は、ユーザによるメニュー操作や、リモコンなどの操作により、ＤＶＤレコーダ１００に対して入力された、設定撮影間隔（Ｔｉ）を入力し、保存する。
【００７１】
そして、ＤＶＤレコーダ１００は、グループ化条件設定部１０９に保存された設定撮影間隔（Ｔｉ）を利用して、本発明の実施の形態１で説明した動作を行う。
【００７２】
なお、本実施の形態１および２では、動画をグループ化して関連する静止画を抽出したが、同様の構成で静止画をグループ化して関連する動画を抽出することも可能である。
【００７３】
また、本実施の形態１および２では、動画ファイルをグループ化した場合の撮影時間を、最初の動画ファイルの撮影開始時刻から最終の動画ファイルの撮影終了時刻までとしたが、撮影開始時刻と撮影終了時刻にそれぞれ一定の時間幅を持たせて管理してもよい。たとえば、動画グループ（Ａ）の場合には、前後に３０分の時間幅を持たせて管理するとすれば、「９：３０」から「１３：３０」までとなる。これにより、動画撮影開始前や動画撮影終了後に同一イベントで撮影した静止画についてもレーベル印刷候補として抽出することが可能となる。
【００７４】
なお、本実施の形態１および２では、画像処理装置としてＤＶＤレコーダを例に説明したが、これに限定するものではなく、パソコンや動画と静止画の撮影機能が搭載されたムービーやＤＳＣなどでもよい。
【００７５】
また、本実施の形態１および２で、画像処理装置に入力される動画と静止画は同じ撮影装置で撮影されたものでも、別々の撮影装置、たとえば動画はムービー、静止画はＤＳＣで撮影されたものでもよい。
【産業上の利用可能性】
【００７６】
本発明に係る画像処理装置は、撮影した複数の動画ファイルを、撮影間隔を元にグループ化し、前記グループ化された動画ファイルの撮影時間内に撮影された静止画を抽出することが可能となり、運動会などのイベントで動画と静止画を撮影した場合に動画をＤＶＤなどのリムーバブルメディアに記録する際のレーベル印刷などに有用である。
【図面の簡単な説明】
【００７７】
【図１】本発明の実施の形態１における画像処理装置の構成を表す図
【図２】本発明の実施の形態１における動画の撮影時刻とグループを管理するテーブルの一例を表す図
【図３】本発明の実施の形態１におけるグループ化テーブルと、静止画撮影時刻管理テーブルを表す図
【図４】本発明の実施の形態１における動画グループ化の処理の流れを示す図
【図５】本発明の実施の形態１における動画グループと関連する静止画を抽出する処理の流れを示す図
【図６】本発明の実施の形態２における画像処理装置の構成を表す図
【図７】従来の同一日付静止画の抽出加工方法を表す図
【符号の説明】
【００７８】
１００  ＤＶＤレコーダ
１０１  動画蓄積部
１０２  動画撮影時刻処理部
１０３  グループ化部
１０４  静止画蓄積部
１０５  静止画撮影時刻処理部
１０６  動画静止画関連付け部
１０７  静止画処理部
１０８  動画処理部
１０９  グループ化条件設定部
１１０  リムーバブルメディア
１２０  ネットワーク
１３０  プリンタ
２００  動画の撮影時刻管理テーブル
２０１  グループ化が完了した動画の撮影時刻管理テーブル
３００  グループ化テーブル
３０１  静止画撮影時刻管理テーブル
３０２  関連する静止画が設定されたグループ化テーブル
【図１】
2009296299.tif 000003
【図２】
2009296299.tif 000004
【図３】
2009296299.tif 000005
【図４】
2009296299.tif 000006
【図５】
2009296299.tif 000007
【図６】
2009296299.tif 000008
【図７】
2009296299.tif 000009